(57)【特許請求の範囲】
【請求項１】
除塵機（１）の水面上方に配置した上部スプロケット（４）を回動駆動するモータ（９）と、該モータ（９）に連結したシャーピン付きチェーンホイール（１１）とから成り、該シャーピン（１３）が折損したときに、新たなシャーピン（１３）に取り替えた後、該除塵機（１）を再起動する方法であって、
前記シャーピン付きチェーンホイール（１１）から折損したシャーピン（１３）を抜き取り、新たなシャーピン（１３）に取り替え、
次に、検出リミット動作用のストライカー（１４）を前記シャーピン付きチェーンホイール（１１）に通常位置に向けて取り付け、
最後に、前記モータ（９）を正転運転する前に逆回転させ、上部スプロケット（４）を介してチェーン（５）で回動させるバケット（６）に、塵芥、クラゲ等が付着していない状態にすることにより、シャーピン付きチェーンホイール（１１）への負荷を軽減した後に、該モータ（９）を正転運転する、ことを特徴とする除塵機におけるシャーピン取替後の再起動方法。
【請求項２】
前記モータ（９）を逆回転させる際に、前記チェーン（５）の半分程度の長さを逆回転させる、ことを特徴とする請求項１の除塵機におけるシャーピン取替後の再起動方法。
【請求項３】
前記モータ（９）を逆回転させる際に、前記チェーン（５）の１／４程度の長さを逆回転させる、ことを特徴とする請求項１の除塵機におけるシャーピン取替後の再起動方法。
【発明の詳細な説明】
【技術分野】
【０００１】
本発明は、火力発電所における復水器に塵芥が取り込まれることを防ぐために、海水や河川水を取水する取水路に設けて水中の塵芥を除去する除塵機に係り、特にバケットを駆動する駆動部分のシャーピンが折損した際に、そのシャーピンを取り替えた後、円滑に再起動できる除塵機におけるシャーピン取替後の再起動方法に関する。
【背景技術】
【０００２】
火力発電所では、ボイラーで生成した蒸気を冷却するための復水器が備えられており、この復水器の冷却水として海水等を用いている。通常、この復水器が冷却水を取り込む取水路上には除塵機を設けている。大量の海水や河川水を取水するが、それらの水中には各種の塵芥やクラゲなどが浮遊している。そこで、取水路には、バー回転式スクリーンやトラベリングスクリーンなどの除塵機を設置している。
【０００３】
例えば、塵芥が大量に付着することにより除塵機にかかる負荷が突発的に急増するような場合がある。そこで、除塵機にかかる負荷が急増する環境でも使用できる除塵機及び除塵機の運転方法について、特許文献１の特開２００８−６３８９０の「除塵機、及び除塵機の運転方法」のように、回転軸が水流と略直交するよう水路中、及び水路上方にそれぞれ配設された一対のスプロケットに循環移動自在に支持されると共に通水性を有し無端状に形成されたスクリーンと、前記一対のスプロケットを介して前記スクリーンを循環移動させる駆動手段と、水路から水を汲み上げ且つ昇圧すると共に、前記スクリーンの内面に臨み配設された噴射ノズルに昇圧した水を供給する自吸式ポンプと、スクリーンの上流側と下流側との水位差が第１の閾値以上となったことを検出して前記自吸式ポンプを稼働させると共に、自吸式ポンプにより昇圧された水の圧力値が所定値に達したことを検出して前記駆動手段を駆動する制御手段とを具備する除塵機が提案されている。
【特許文献１】特開２００８−６３８９０
【０００４】
このような除塵機は、複数のバケットを取り付けたチェーンをモータで回転駆動するようになっている。このモータには、せん断ピン式の安全装置であるシャーピンが備えられている。例えば発電所の取水口にはクラゲが大量に襲来したときに、取水口に投置されている除塵機が過負荷で停止することがある。このシャーピンは、除塵機、即ちモータにかかる負荷が突発的に急増するような場合に、シャーピンが切断し、以下の駆動機への過負荷を制限し、機械の破損を防ぐ機能がある。
【発明の開示】
【発明が解決しようとする課題】
【０００５】
この除塵機のシャーピンが切断したときは、新たなシャーピンに取り替える必要がある。しかし、シャーピンを取り替えている時間中にも、クラゲは除塵機の網及びバケットに付着する。更に、除塵機の前後水位差も上昇している。除塵機のモータを再起動しようとする際に、最初にシャーピンが切断した時より大きい負荷がかかることがあり、再度シャーピンが切断しやすいという問題があった。
【０００６】
このように、再度シャーピンが切断することは、除塵機の停止時間が長くなることの原因になり、発電所の停止にもつながるという問題もあった。
【０００７】
本発明は、かかる問題点を解決するために創案されたものである。すなわち、本発明の目的は、取水路に大量にクラゲ等が襲来したときでも除塵機を速やかに再起動することができ、かつ発電所の停止を回避できる除塵機におけるシャーピン取替後の再起動方法を提供することにある。
【課題を解決するための手段】
【０００８】
本発明によれば、除塵機（１）の水面上方に配置した上部スプロケット（４）を回動駆動するモータ（９）と、該モータ（９）に連結したシャーピン付きチェーンホイール（１１）とから成り、該シャーピン（１３）が折損したときに、新たなシャーピン（１３）に取り替えた後、該除塵機（１）を再起動する方法であって、前記シャーピン付きチェーンホイール（１１）から折損したシャーピン（１３）を抜き取り、新たなシャーピン（１３）に取り替え、次に、検出リミット動作用のストライカー（１４）を前記シャーピン付きチェーンホイール（１１）に通常位置に向けて取り付け、最後に、前記モータ（９）を正転運転する前に逆回転させ、上部スプロケット（４）を介してチェーン（５）で回動させるバケット（６）に、塵芥、クラゲ等が付着していない状態にすることにより、シャーピン付きチェーンホイール（１１）への負荷を軽減した後に、該モータ（９）を正転運転する、ことを特徴とする除塵機におけるシャーピン取替後の再起動方法が提供される。
例えば、前記モータ（９）を逆回転させる際に、前記チェーン（５）の半分又は１／４程度の長さを逆回転させる。
【発明の効果】
【０００９】
上記構成の発明では、シャーピン（１３）が折損したときに、新たなシャーピン（１３）に取り替えた後、除塵機（１）を再起動する際に、モータ（９）を直ぐに正転運転するのではなく、一旦モータ（９）を逆回転させ、上部スプロケット（４）を介してチェーン（５）で回動させるバケット（６）に、塵芥、クラゲ等が付着していない状態にする。その後、モータ（９）を正転運転する。このように、シャーピン（１３）が折損するという、除塵機（１）が過負荷にあるときに、その除塵機（１）を一旦停止すると、更に過負荷状態になっている。そこで、この除塵機（１）の再起動時に、モータ（９）を逆回転させて、モータ（９）への負荷を低減させてから再起動することにより、シャーピン（１３）が再度折損することを回避する。
【００１０】
このようにすれば、除塵機（１）の停止時間が長くなることを回避し、大量のクラゲが襲来した時に除塵機（１）の再起動を速やかに実施でき、発電停止を回避できる。
【発明を実施するための最良の形態】
【００１１】
本発明の除塵機におけるシャーピン取替後の再起動方法は、シャーピン付きチェーンホイールから折損したシャーピンを抜き取り、新たなシャーピンに取り替え、モータを正転運転する前に逆回転させ、チェーンで回動させるバケットに、塵芥、クラゲ等が付着していない状態にすることにより、シャーピン付きチェーンホイールへの負荷を軽減した後に、モータを正転運転する方法である。
【実施例１】
【００１２】
以下、本発明の好ましい実施の形態を図面を参照して説明する。
図１は本発明のシャーピン取替後の再起動方法を実施する除塵機と取水路を示す概略説明図である。
本発明の再起動方法を実施する除塵機１は、取水路２の水中に浸漬して配置する。この除塵機１は、水中に浸漬した下部スプロケット３と、水面上方に配置した上部スプロケット４（駆動スプロケット）と、これらのスプロケット３，４間に無端のチェーン５を掛け渡したものである。このチェーン５は、例えば取水路２の左右に一対に設ける。左右のチェーン５間に多数のバケット６を上下方向に等間隔に架け渡している。このバケット６は、例えば縦長のスリット状の濾過部を形成し、塵芥、クラゲ等を捕捉できるようになっている。図１において、取水路２には、除塵機１の左側に取水口ゲート７と、更にこの取水口ゲート７の左側にスクリーン８をそれぞれ備えている。
【００１３】
図２は除塵機全体を示す側面図である。図中のバケットは一部省略している。
この除塵機１は、上部スプロケット４をモータ９で回転駆動し、上記の無端のチェーン５を回動させ、このチェーン５に多数取り付けたバケット６を上方へ移動させ、流入側（図面上の左側）で上昇させながら濾過部で塵芥、クラゲ等を濾過して捕捉し、バケット６を上部スプロケット４で反転させ、バケット６内の塵芥、クラゲ等を下方に自然落下させて収集する。
塵芥を排出したバケット６は、チェーン５の回動に伴われて流出側（図面上の右側）を下降し、再び取水路２内に戻され、同様な操作を繰り返すようになっている。
【００１４】
図３は駆動部分の減速装置とシャーピン付きチェーンホイールを示す拡大側面図である。図４は駆動部分のモータと減速装置とシャーピン付きチェーンホイールを示す一部断面にした拡大正面図である。
上部スプロケット４を回動するときは、モータ９とこのモータ９の回転軸に連結した減速装置１０に連結したシャーピン付きチェーンホイール１１に駆動チェーン１２をかけ止め、この駆動チェーン１２で上部スプロケット４を回動させる。
【００１５】
減速装置１０に連結したシャーピン付きチェーンホイール１１は、モータ９の回転力で駆動チェーン１２を回転させるものであり、このチェーンホイール１１に所定値以上の負荷がかかると、シャーピン１３が折損するようになっている。このシャーピン１３は、上述したように、除塵機１にかかる負荷が突発的に急増するような場合に、シャーピン１３が折損し、以下の減速装置１０やモータ９への過負荷を制限し、その破損を防ぐ機能を有する。
【００１６】
図５はシャーピン付きチェーンホイールに設けたストライカーを示す拡大平面図であり、（ａ）はストライカーが可動する前の状態、（ｂ）はストライカーが可動した状態である。
このシャーピン付きチェーンホイール１１には、ストライカー１４を備えている。これはシャーピン付きチェーンホイール１１のシャーピン１３が折損したときに、このストライカー１４がリミットスイッチ１５の接触子１６に当り、そのシャーピン１３が折損したことを周知させるものである。
【００１７】
このストライカー１４は、シャーピン付きチェーンホイール１１を構成する２枚のプレート１７の一方のプレート１７の端縁に、略Ｔ形状の部材を、その中央部分でプレート１７の面方向に自由に回動するように取り付け、他方のプレート１７の端縁に、ストライカー１４の一部に設けたスリット１８にピン１９を挿し込む。このストライカー１４は、２枚のプレート１７が、シャーピン１３で一体となって回転しているときは、ストライカー１４も同時に回転し、リミットスイッチ１５の接触子１６に当らない。しかし、シャーピン１３が折損したときは、２枚のプレート１７がずれて、ストライカー１４がピン１９で可動し、リミットスイッチ１５の接触子１６に当るようになっている。
【００１８】
このように構成した除塵機１のシャーピン１３が折損したときは、次のような手順で新たなシャーピン１３に取り替える。
先ず、除塵機１の電源をロックする。除塵機１の駆動チェーンカバーを取り外し、プレート１７の回転停止及びシャーピン１３の折損及びストライカー１４の傾きを確認する。次に、除塵機１のモータ９の後部軸用ハンドルカバーを取り外し、モータ後部軸用ハンドルにて、シャーピン１３を抜きやすい位置にチェーンホイール１１のプレート１７を回転させる。シャーピン抜き工具にて、シャーピン１３を抜き取る。除塵機１のモータ後部軸用ハンドルにて，シャーピン取付穴を合わせて新しいシャーピン１３を挿し込み、次にワッシャを取り付け、ナットを取り付けて締め付ける。
【００１９】
次に、上述した検出リミット動作用ストライカー１４をセットする。ストライカー固定ナットを緩め、ストライカー１４を通常位置にセットし、ストライカー固定ナットを締める。
【００２０】
最後に、除塵機モー夕後部軸用ハンドルカバーを取り付け、除塵機駆動チェーンカバーを取り付け、除塵機１の電源ロックを解除し、除塵機１を再起動する。
【００２１】
本発明では、シャーピン１３の取り替え後に、除塵機１の再起動に際して、図２の矢視線で示すように、モータ９を正転運転する前に除塵機１を逆回転し、負荷を軽くしてから正転運転する。即ち、上部スプロケット４を介してチェーン５で回動させるバケット６に、塵芥、クラゲ等が付着していない状態にする。シャーピン１３の取り替え時間中にもクラゲは除塵機１の網及びバケッ６トに付着し，除塵機１の前後水位差も上昇している。そのため、最初にシャーピン１３が折損した時より更に負荷がかかることがある。そこで、逆回転運転し、シャーピン１３への負荷を軽減くしておき、再度シャーピン１３の折損を回避する。
【００２２】
例えば、上部スプロケット４を介してチェーン５で回動させるバケット６に、塵芥、クラゲ等が付着していない状態にするために、モータ９は、チェーン５の半分の長さが移動するように逆回転させる。
【００２３】
あるいは、モータ９を逆回転させる際に、チェーン５の１／４程度の長さを逆回転させる。換言すれば、チェーン５で回動させるバケット６に、塵芥、クラゲ等が付着していない状態になり、シャーピン１３への負荷が軽減できる範囲で逆回転させる。
【００２４】
このようにすれば、除塵機１が過負荷にあるときに、その除塵機１を一旦停止して更に過負荷状態になり、再起動時に再度シャーピン１３が折損することを回避することができる。そこで、除塵機の停止時間が長くなることを回避し、クラゲ襲来時の除塵機１の再起動を速やかに実施でき、発電停止を回避できる。
【００２５】
なお、本発明は、取水路２に大量にクラゲ等が襲来したときでも除塵機１を速やかに再起動することができ、かつ発電所の停止を回避できれば、上述した発明の実施の形態に限定されず、本発明の要旨を逸脱しない範囲で種々変更できることは勿論である。
【産業上の利用可能性】
【００２６】
本発明の除塵機におけるシャーピン取替後の再起動方法は、火力発電所における復水器に塵芥が取り込まれることを防ぐために、海水や河川水を取水する取水路に設けた除塵機に利用することができる。
【図面の簡単な説明】
【００２７】
【図１】本発明のシャーピン取替後の再起動方法を実施する除塵機と取水路を示す概略説明図である。
【図２】除塵機全体を示す側面図である。
【図３】駆動部分の減速装置とシャーピン付きチェーンホイールを示す拡大側面図である。
【図４】駆動部分のモータと減速装置とシャーピン付きチェーンホイールを示す一部断面にした拡大正面図である。
【図５】シャーピン付きチェーンホイールに設けたストライカーを示す拡大平面図であり、（ａ）はストライカーが可動する前の状態、（ｂ）はストライカーが可動した状態である。
【符号の説明】
【００２８】
１  除塵機
４  上部スプロケット
５  チェーン
６  バケット
９  モータ
１１  シャーピン付きチェーンホイール
１３  シャーピン
１４  ストライカー
【図１】
0004931862.tif 000002
【図２】
0004931862.tif 000003
【図３】
0004931862.tif 000004
【図４】
0004931862.tif 000005
【図５】
0004931862.tif 000006